(57)【要約】【課題】組み立て式ガラス温室を提供する。【解決手段】本発明の組み立て式ガラス温室は、複数のベースコネクタ、第１コネクタ、第２コネクタ、第３コネクタ、第４コネクタ、第５コネクタ、組み立て管、ガラス板、プレス板及び複数の結合部材を含み、それは、使用者の要求に応じてガラス温室を組み立て形成し、構造が簡単で、迅速に組み立て、分解できる組み立て式ガラス温室である。【選択図】図１０
2020010646.tif 000002
【特許請求の範囲】
【請求項１】
複数のベースコネクタ、第１コネクタ、第２コネクタ、第３コネクタ、第４コネクタ、第５コネクタ、組み立て管、ガラス板、プレス板及び複数の結合部材を含み、
ベースコネクタは、固定底板を有し、固定底板上に若干の位置決め鎖合孔を設け、固定底板にプラグコネクタを設け、該プラグコネクタは、組み立て管を挿入設置させることができ、プラグコネクタの側壁は、若干の鎖合孔を設け、
第１コネクタは、その一端にプラグコネクタを形成し、該プラグコネクタは、組み立て管を挿入設置させることができ、該プラグコネクタの側壁に鎖合孔を設け、該プラグコネクタの後端は、方形係止板を設け、該方形係止板の各一側縁にそれぞれ凹口を設け、且つ方形係止板の他端は、スリーブソケットを設け、該スリーブソケットは、半円柱状を呈し、且つスリーブソケット上の径方向に鎖合孔を設け、
第２コネクタは、方形係止ソケットを設け、方形係止ソケットの隣り合う両側にそれぞれプラグコネクタを設け、該第２コネクタにＬ字型を呈させ、該プラグコネクタは、組み立て管を挿入設置させることができ、２つのプラグコネクタの側壁にそれぞれ鎖合孔を設け、また、該方形係止ソケットの周縁にパッドを凸設し、パッド中央に凹溝を設け、
第３コネクタは、方形係止ソケットを有し、係止ソケットが隣り合う３つの側面にそれぞれプラグコネクタを設け、該第３コネクタにＴ字型を呈させ、該プラグコネクタは、組み立て管を挿入設置させることができ、該３つのプラグコネクタの側壁にそれぞれ鎖合孔を設け、該方形係止ソケットの周縁にパッドを凸設し、パッド中央に凹溝を設け、
第４コネクタは、方形係止ソケットを有し、係止ソケットの４つの側面にプラグコネクタを設け、該第４コネクタに十字型を呈させ、該プラグコネクタは、組み立て管を挿入設置させることができ、該４つのプラグコネクタの側壁にそれぞれ鎖合孔を設け、該方形係止ソケットの周縁にパッドを凸設し、パッド中央に凹溝を設け、
第５コネクタは、一端にプラグコネクタを形成し、該プラグコネクタは、組み立て管を挿入設置させることができ、該プラグコネクタの側壁に鎖合孔を設け、該プラグコネクタ後端に方形係止板を設け、方形係止板の他端に位置決めソケットを設け、該位置決めソケットに軸方向に位置決め鎖合孔を設け、該方形係止板の各側縁は、スロットを設け、
組み立て管は、矩形を呈する管体であり、組み立て管の管壁上に若干の鎖合孔を設け、該組み立て管は、ベースコネクタ、第１コネクタ、第２コネクタ、第３コネクタ、第４コネクタ及び第５コネクタのプラグコネクタ上に挿入接続され、該組み立て管の周縁にパッドを凸設し、２つのパッドの間に凹溝を形成し、
ガラス板は、組み立て管のパッド上、並びに第１コネクタ、第２コネクタ、第３コネクタ、第４コネクタ及び第５コネクタ上に載置され、
プレス板は、コ字型（コの字を右に９０度回転した形状）の板体であり、プレス板の両側に翼部を設け、該プレス板上に若干の鎖合孔を設け、該プレス板は、組み立て管の凹溝、且つ第１コネクタ及び第５コネクタの凹口内、且つ第２コネクタ、第３コネクタ及び第４コネクタの凹溝に載置でき、該プレス板の翼部をガラス板にプレスさせ、
結合部材は、第１コネクタの鎖合孔及び第５コネクタの位置決め鎖合孔に貫通設置でき、組み立て管及びプレス板の鎖合孔に貫通設置でき、ベースコネクタ、第１コネクタ、第２コネクタ、第３コネクタ、第４コネクタ及び第５コネクタの鎖合孔中に鎖合でき、組み立て管及びプレス板を位置決め固定する、組み立て式ガラス温室。
【発明の詳細な説明】
【技術分野】
【０００１】
本発明は、組み立て式ガラス温室であり、特に、構造が簡単であり、迅速な組み立て、分解が可能なガラス温室に関する。
【背景技術】
【０００２】
工業の急速な発展及び人口増加によって、耕作面積を減少させ、同時に、気候環境の変化により、植物の生長、又は豪雨、風災によって損壊し、野菜、果物、食糧の供給が不足し始め、従って、植物の生長環境を如何に維持し、植物の収穫を増進するかは、実に現在の農業発展の解決すべき課題となっている。
【０００３】
上記の課題を解決する為、現在、温室（又はガラス温室、暖房）が発展しており、それは、ガラス又はプラスチックを利用して建設される建築物であり、この種の温室は、太陽が発する電磁輻射によって加熱し、温室内の植物、泥土、空気等を暖め、それにより、作物成長を早めることができ、気候の影響を受け難くし、且つ乾燥地区においても水分が過度に蒸発することを防止する効果を有する。従って、温室は、農作物が気温の過熱又は過度な冷えの影響を回避でき、更に、植物を落雹、砂塵、豪雨又は暴風雪の脅威から保護でき、害虫の侵害を回避できる。また、温室内の光と温度の制御によって土地を耕す必要なく、耕された土地に変えることができ、野菜、果物を植えることができ、野菜、果物の産量を向上できる。
【０００４】
上記の温室建築は、その多くが複数の鋼材、金属管が結合して本体骨格を形成した後、ガラスを覆うように結合固定し、ガラス温室を形成できる。しかしながら、この種のガラス温室は、本体骨格構造が溶接結合の方式で組み立てられ、組み立てが複雑で、製造コストが高いだけではなく、本体骨格が損壊時、破損部分の骨格を取り外してようやく修理、交換することができ、メンテナンスに不便である欠点を有し、且つこの種のガラス温室は、一旦建設が完成すると、必要に応じて分解してその他の場所へ移動することができず、且つ温室が覆う面積の大きさを変更することもできず、従って、使用、移動が不便である欠点を有する。
【先行技術文献】
【特許文献】
【０００５】
【特許文献１】特開２００２−７６４２１号公報
【発明の概要】
【発明が解決しようとする課題】
【０００６】
本発明の目的は、上記欠陥を改善し、構造が簡単で、迅速に組み立てでき、且つ多角度、多方向に調整可能なガラス温室を提供することにある。
【課題を解決するための手段】
【０００７】
上記目的を達成するため、本発明の組み立て式ガラス温室は、複数のベースコネクタ、第１コネクタ、第２コネクタ、第３コネクタ、第４コネクタ、第５コネクタ、組み立て管、ガラス板、プレス板及び複数の結合部材を含む。
【０００８】
ベースコネクタは、固定底板を有し、固定底板上に若干の位置決め鎖合孔を設け、固定底板にプラグコネクタを設け、該プラグコネクタは、組み立て管を挿入設置させることができ、プラグコネクタの側壁は、若干の鎖合孔を設ける。
【０００９】
第１コネクタは、その一端にプラグコネクタを形成し、該プラグコネクタは、組み立て管を挿入設置させることができ、該プラグコネクタの側壁に鎖合孔を設け、該プラグコネクタの後端は、方形係止板を設け、該方形係止板の各一側縁にそれぞれ凹口を設け、且つ方形係止板の他端は、スリーブソケットを設け、該スリーブソケットは、半円柱状を呈し、且つスリーブソケット上の径方向に鎖合孔を設ける。
【００１０】
第２コネクタは、方形係止ソケットを設け、方形係止ソケットの隣り合う両側にそれぞれプラグコネクタを設け、該第２コネクタにＬ字型を呈させ、該プラグコネクタは、組み立て管を挿入設置させることができ、２つのプラグコネクタの側壁にそれぞれ鎖合孔を設け、また、該方形係止ソケットの周縁にパッドを凸設し、パッド中央に凹溝を設ける。
【００１１】
第３コネクタは、方形係止ソケットを有し、係止ソケットが隣り合う３つの側面にそれぞれプラグコネクタを設け、該第３コネクタにＴ字型を呈させ、該プラグコネクタは、組み立て管を挿入設置させることができ、該３つのプラグコネクタの側壁にそれぞれ鎖合孔を設ける。また、該方形係止ソケットの周縁にパッドを凸設し、パッド中央に凹溝を設ける。
【００１２】
第４コネクタは、方形係止ソケットを有し、係止ソケットの４つの側面にプラグコネクタを設け、該第４コネクタに十字型を呈させ、該プラグコネクタは、組み立て管を挿入設置させることができ、該４つのプラグコネクタの側壁にそれぞれ鎖合孔を設ける。また、該方形係止ソケットの周縁にパッドを凸設し、パッド中央に凹溝を設ける。
【００１３】
第５コネクタは、一端にプラグコネクタを形成し、該プラグコネクタは、組み立て管を挿入設置させることができ、該プラグコネクタの側壁に鎖合孔を設け、該プラグコネクタ後端に方形係止板を設け、方形係止板の他端に位置決めソケットを設け、該位置決めソケットに軸方向に位置決め鎖合孔を設ける。また、該方形係止板の各側縁は、スロットを設ける。
【００１４】
組み立て管は、矩形を呈する管体であり、組み立て管の管壁上に若干の鎖合孔を設け、該組み立て管は、ベースコネクタ、第１コネクタ、第２コネクタ、第３コネクタ、第４コネクタ及び第５コネクタのプラグコネクタ上に挿入接続され、該組み立て管の周縁にパッドを凸設し、２つのパッドの間に凹溝を形成する。
【００１５】
ガラス板は、組み立て管のパッド上、並びに第１コネクタ、第２コネクタ、第３コネクタ、第４コネクタ及び第５コネクタ上に載置される。
【００１６】
プレス板は、コ字型（コの字を右に９０度回転した形状）の板体であり、プレス板の両側に翼部を設け、該プレス板上に若干の鎖合孔を設け、該プレス板は、組み立て管の凹溝、且つ第１コネクタ及び第５コネクタの凹口内、且つ第２コネクタ、第３コネクタ及び第４コネクタの凹溝に載置でき、該プレス板の翼部をガラス板にプレスさせる。
【００１７】
結合部材は、組み立て管及びプレス板の鎖合孔に貫通設置でき、ベースコネクタ、第１コネクタ、第２コネクタ、第３コネクタ、第４コネクタ及び第５コネクタの鎖合孔中に鎖合でき、組み立て管及びプレス板を位置決め固定する。
【発明の効果】
【００１８】
これにより、構造が簡単で、迅速に組み立てでき、且つ多角度、多方向に調整可能なガラス温室を提供する。
【図面の簡単な説明】
【００１９】
【図１】本発明のベースコネクタ、第１コネクタ、第２コネクタ、第３コネクタ、第４コネクタ、第５コネクタの要素図である。
【図２】本発明の組み立て管、ガラス板、プレス板及び結合部材の要素図である。
【図３】本発明の格子状フレームを組み立て形成する立体分解説明図である。
【図４】本発明の格子状フレームを組み立て形成する説明図である。
【図５】本発明の格子状フレームを組み立て形成する分解説明図である。
【図６】本発明の格子状フレームを組み立て形成する説明図である。
【図７】本発明の格子状フレーム及び格子状屋根を組み立てて温室骨格構造を形成する説明図である。
【図８】本発明のガラス板及びプレス板が格子状屋根に組み立てる分解説明図である。
【図９】本発明のガラス板及びプレス板が格子状屋根に組み立てる断面説明図である。
【図１０】本発明のガラス温室を組み立て形成する説明図である。
【発明を実施するための形態】
【００２０】
本発明の目的を達成する為に用いる技術手段及びその構造について、図１〜図１０に示す実施例を合わせて以下に詳細に説明する。
【００２１】
図１、図２に示すように、実施例の組み立て式ガラス温室は、複数のベースコネクタ１０、第１コネクタ２０、第２コネクタ３０、第３コネクタ４０、第４コネクタ５０、第５コネクタ６０、組み立て管７０、ガラス板８０、プレス板９０及び結合部材１００を含む。
【００２２】
ベースコネクタ１０（同時に図１参照）は、固定底板１１を有し、固定底板１１上に若干の位置決め鎖合孔１２を設け、固定底板１１にプラグコネクタ１３を設け、該プラグコネクタ１３は、組み立て管７０を挿入設置させることができ、プラグコネクタ１３の側壁は、若干の鎖合孔１４を設ける。
【００２３】
第１コネクタ２０（同時に図１参照）は、その一端にプラグコネクタ２１を形成し、該プラグコネクタ２１は、組み立て管７０を挿入設置させることができ、該プラグコネクタ２１の側壁に鎖合孔２２を設け、該プラグコネクタ２１の後端は、方形係止板２３を設け、該方形係止板２３の各一側縁にそれぞれ凹口２３１を設け、且つ方形係止板２３の他端は、スリーブソケット２４を設け、該スリーブソケット２４は、半円柱状を呈し、且つスリーブソケット２４上の径方向に鎖合孔２５を設ける。
【００２４】
第２コネクタ３０（同時に図１参照）は、方形係止ソケット３１を設け、方形係止ソケット３１の隣り合う両側にそれぞれプラグコネクタ３２を設け、該第２コネクタ３０にＬ字型を呈させ、該プラグコネクタ３２は、組み立て管７０を挿入設置させることができ、２つのプラグコネクタ３２の側壁にそれぞれ鎖合孔３３を設け、また、該方形係止ソケット３１の周縁にパッド３４を凸設し、パッド３４中央に凹溝３５を設ける。
【００２５】
第３コネクタ４０（同時に図１参照）は、方形係止ソケット４１を有し、係止ソケット４１が隣り合う３つの側面にそれぞれプラグコネクタ４２を設け、該第３コネクタ４０にＴ字型を呈させ、該プラグコネクタ４２は、組み立て管７０を挿入設置させることができ、該３つのプラグコネクタ４２の側壁にそれぞれ鎖合孔４３を設ける。また、該方形係止ソケット４１の周縁にパッド４４を凸設し、パッド４４中央に凹溝４５を設ける。
【００２６】
第４コネクタ５０（同時に図１参照）は、方形係止ソケット５１を有し、係止ソケット５１の４つの側面にプラグコネクタ５２を設け、該第４コネクタ５０に十字型を呈させ、該プラグコネクタ５２は、組み立て管７０を挿入設置させることができ、該４つのプラグコネクタ５２の側壁にそれぞれ鎖合孔５３を設ける。また、該方形係止ソケット５１の周縁にパッド５４を凸設し、パッド５４中央に凹溝５５を設ける。
【００２７】
第５コネクタ６０（同時に図１参照）は、一端にプラグコネクタ６１を形成し、該プラグコネクタ６１は、組み立て管７０を挿入設置させることができ、該プラグコネクタ６１の側壁に鎖合孔６２を設け、該プラグコネクタ６１後端に方形係止板63を設け、方形係止板６３の他端に位置決めソケット６４を設け、該位置決めソケット６４に軸方向に位置決め鎖合孔６５を設ける。また、該方形係止板６３の各側縁は、スロット６３１を設ける。
【００２８】
組み立て管７０（同時に図１参照）は、矩形を呈する管体であり、組み立て管７０の管壁上に若干の鎖合孔７１を設け、該組み立て管７０は、ベースコネクタ１０、第１コネクタ２０、第２コネクタ３０、第３コネクタ４０、第４コネクタ５０及び第５コネクタ６０のプラグコネクタ１３、２１、３２、４２、５２上に挿入接続され、該組み立て管７０の周縁にパッド７２を凸設し、２つのパッド７２の間に凹溝７３を形成する。
【００２９】
ガラス板８０（同時に図２参照）は、組み立て管７０のパッド７２上、並びに第１コネクタ２０、第２コネクタ３０、第３コネクタ４０、第４コネクタ５０及び第５コネクタ６０上に載置される。
【００３０】
プレス板９０（同時に図２参照）は、コ字型（コの字を右に９０度回転した形状）の板体であり、プレス板９０の両側に翼部９１を設け、該プレス板９０上に若干の鎖合孔９２を設け、該プレス板９０は、組み立て管７０の凹溝７３、且つ第１コネクタ２０及び第５コネクタ６０の凹口２３１、６３１内、且つ第２コネクタ３０、第３コネクタ４０及び第４コネクタ５０の凹溝３５、４５、５５に載置でき、該プレス板９０の翼部９１をガラス板８０にプレスさせる。また、該プレス板９０の鎖合孔９２上に螺合部材９３を結合し、該螺合部材９３は、組み立て管７０の鎖合孔７１を鎖合することができる。
【００３１】
結合部材１００（同時に図２参照）は、第１コネクタ２０の鎖合孔２５及び第５コネクタ６０の位置決め鎖合孔６５に貫通設置でき、組み立て管７０及びプレス板９０の鎖合孔７１、９２に貫通設置でき、ベースコネクタ１０、第１コネクタ２０、第２コネクタ３０、第３コネクタ４０、第４コネクタ５０及び第５コネクタ６０の鎖合孔１４、２２、３３、４３、５３、６５中に鎖合でき、組み立て管７０及びプレス板９０を位置決め固定する。
【００３２】
上記構造により、図３に示すように、複数の組み立て管７０をそれぞれ第２コネクタ３０、第３コネクタ40及び第４コネクタ５０が設けるプラグコネクタ３２、４２、５２にそれぞれ挿入設置し、該組み立て管７０に横型又は縦型の態様を形成させ、格子状フレームＡを形成し、それから、且つ結合部材１００を利用して組み立て管７０の鎖合孔７１を貫通設置し、第２コネクタ３０、第３コネクタ４０及び第４コネクタ５０が設ける鎖合孔３３、４３、５３に鎖合し、組み立て管７０を第２コネクタ３０、第３コネクタ４０及び第４コネクタ５０と結合固定させることができ、且つ組み立て管７０は、位置決め固定でき、強固な格子状フレームＡに組み立てることができる（図４参照）。
【００３３】
図４に示すように、上記組み立てを経た格子状フレームＢは、地面に直接安置でき、格子状フレームＡ下方に複数の組み立て管７０を組み立てることができ、最下方の組み立て管７０に直立状を呈させ、該直立状の組み立て管７０をベースコネクタ１０のプラグコネクタ１３に挿入設置させることができ、それから、結合部材１００を利用して組み立て管７０の鎖合孔７１に挿入設置し、ベースコネクタ１０の鎖合孔１４に鎖合し、該ベースコネクタ１０は、更に結合部材を利用して位置決め鎖合孔１２に挿入設置し、建築ベース又は地面に鎖合でき、該格子状フレームＡを建築ベース又は地面に固定させることができ、外力の影響（例えば、強風）を受けて移動することがない。
【００３４】
図５に示すように、それは、２つの第１コネクタ２０のスリーブソケット２４及び第５コネクタ６０の位置決めソケット６４を寄せ合わせ、２つの第１コネクタ２０が設ける鎖合孔２５及び第５コネクタ６０の鎖合孔２５を利用して、第５コネクタ６０の位置決め鎖合孔６５と鎖合固定し、該２つの第１コネクタ２０及び第５コネクタ６０と組み合わせ結合し、且つ該２つの第１コネクタ２０は、結合部材１００を支点として２つの第５コネクタ６０の間の挟み角を回転調整できる。且つ組み立て管７０は、２つの第１コネクタ２０のプラグコネクタ２１及び第５コネクタ６０のプラグコネクタ６１上に挿入設置でき、これにより、図５に示すように、複数の第１コネクタ２０、第５コネクタ６０及び組み立て管７０を組み合わせることができ、それを格子状屋根Ｂ（図６参照）に形成することができる。続いて、該格子状屋根Ｂを複数の第１コネクタ２０及び組み立て管７０を利用して格子状フレームＡ上に組み付け、温室骨格構造Ｃを形成することができる（図７参照）。
【００３５】
上述のように、好適な実施例では、該格子状屋根Ｂは、尖った山峰状を呈することを好ましい。
【００３６】
しかしながら、図８に示すように、ガラス板８０を格子状屋根Ｂの２つの組み立て管７０の間に跨いで載置し、その後、プレス板９０を利用して組み立て管７０の凹溝７３上、且つ第１コネクタ２０及び第５コネクタ６０の凹口２３１、６３１内、第２コネクタ３０、第３コネクタ４０及び第４コネクタ５０の凹溝３５、４５、５５内に設置し、該プレス板９０の翼部９１をガラス板８０上にプレスし、ガラス板８０にプレス板９０が設ける翼部９１のプレス位置決めを受けさせた後、螺合部材９３によりプレス板９０の鎖合孔９２に貫通設置し、組み立て管７０の鎖合孔７１に鎖合氏、プレス板９０をガラス板８０プレスでき（図９参照）、該ガラス板８０が脱落して組み立て管７０から離脱することがなく、ガラス温室（図１０参照）に組み立て形成することができる（図１０参照）。
【００３７】
従って、本発明は、確かに以下の利点を有する。
（一）本発明は、複数のベースコネクタ１０第１コネクタ２０、第２コネクタ３０、第３コネクタ４０、第４コネクタ５０、第５コネクタ６０、組み立て管７０、ガラス板８０、プレス板９０及び結合部材１００を組み立ててなり、構造が簡単、組み立てが簡単で迅速な利点を有する。
（二）本発明は、複数のガラス板８０をプレス板９０でプレスして格子状フレームＡ及び屋根フレームＢに位置決め固定し、ガラス板８０を格子状フレームＡ及び屋根フレームＢに安定して設置させ、ガラス温室を形成させ、ガラス温室を阻隔し、その中が外部の気候の状況、温度の影響を受けないようにする。
（三）本発明は、格子状フレームＡ及び格子状屋根Ｂは、複数のベースコネクタ１０、第１コネクタ２０、第２コネクタ３０、第３コネクタ４０、第４コネクタ５０、第５コネクタ６０及び組み立て管７０が組み立て形成する格子状のフレームによって、ガラス温室に格子状を呈させ、光線を有効にガラス温室内に照射させ、本発明のガラス温室に確かにその中の植物、泥土、空気を加熱して暖かくさせ、温室効果を達成することができる。
（四）本発明は、組み立て式のガラス温室により、それは、必要な範囲、植栽面積、高度の要求に応じて温室を組み立て、ガラス温室を拡張又は減縮させる必要がある時、それは、減少したい温室を直接分解して取り除くか、温室を増設接続でき、全てを分解して取り外す必要がなく、建築材料の浪費を減少でき、且つガラス温室の組み立ての一定の程度の利便性および実用性を有する。
（五）本発明のガラス温室は、複数のベースコネクタ１０、第１コネクタ２０、第２コネクタ３０、第３コネクタ４０、第４コネクタ５０、第５コネクタ６０、組み立て管７０、ガラス板８０、プレス板９０及び結合部材１００により組み立てられてなり、従って、本発明は、環境保護再利用性を有する。
（六）本発明は、複数のベースコネクタ１０、第１コネクタ２０、第２コネクタ３０、第３コネクタ４０、第４コネクタ５０、第５コネクタ６０、組み立て管７０、ガラス板８０、プレス板９０及び結合部材１００が組み立てられてなり、大量生産、保管でき、確かに生産コストを低減することができる。
【００３８】
故に、上記から分かるように、本発明は、確かに顕著な新規性、進歩性を有し、その装置、構造は確かに過去に存在しておらず、発明特許要件に符合している。
【００３９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４０】
１０  ベースコネクタ
１１  固定底板
１２  位置決め鎖合孔
１３  プラグコネクタ
１４  鎖合孔
２０  第１コネクタ
２１  プラグコネクタ
２２  鎖合孔
２３  方形係止板
２３１  凹口
２４  スリーブソケット
２５  鎖合孔
３０  第２コネクタ
３１  方形係止ソケット
３２  プラグコネクタ
３３  鎖合孔
３４  パッド
３５  凹溝
４０  第３コネクタ
４１  方形係止ソケット
４２  プラグコネクタ
４３  鎖合孔
４４  パッド
４５  凹溝
５０  第４コネクタ
５１  係止ソケット
５２  プラグコネクタ
５３  鎖合孔
５４  パッド
５５  凹溝
６０  第５コネクタ
６１  プラグコネクタ
６２  鎖合孔
６３  方形係止板
６３１  スロット
６４  位置決めソケット
６５  鎖合孔
７０  組み立て管
７１  鎖合孔
７２  パッド
７３  凹溝
８０  ガラス板
９０  プレス板
９１  翼部
９２  鎖合孔
１００  結合部材
【図１】
2020010646.tif 000003
【図２】
2020010646.tif 000004
【図３】
2020010646.tif 000005
【図４】
2020010646.tif 000006
【図５】
2020010646.tif 000007
【図６】
2020010646.tif 000008
【図７】
2020010646.tif 000009
【図８】
2020010646.tif 000010
【図９】
2020010646.tif 000011
【図１０】
2020010646.tif 000012